(57)【要約】【課題】  人が入り込めない場所の調査や壊れやすい物の調査、及び広範囲における調査を実現可能な調査情報収集管理システムを提供する。【解決手段】  ＷｉＭＡＸ基地局２ａ〜２ｃは、過疎地やターゲットＡ〜Ｄとなる文化財・遺産保護区域近辺に設置される。無線カメラ３ａ〜３ｄと無線端末４ａ〜４ｄと無線操作移動体５ａ〜５ｄとは、過疎地やターゲットＡ〜Ｄとなる文化財・遺産保護区域内に配置される。管理サーバ１は、無線カメラ３ａ〜３ｄと無線端末４ａ〜４ｄと無線操作移動体５ａ〜５ｄとからＷｉＭＡＸ基地局２ａ，２ｂを経由して２４時間常に送られてくる画像及びデータ情報をターゲットＡ〜Ｄの状態としてリアルタイムに受信している。管理サーバ１は、収集した情報を調査情報として一括して整理し、ＷｉＭＡＸを含む無線及び有線にて各国の管理サーバ６に配信する。【選択図】      図１
2008288738.tif 000002
【特許請求の範囲】
【請求項１】
調査対象を調査するための調査領域近辺に配置されたＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ）基地局と、
少なくとも前記調査対象を撮影するカメラと前記カメラにて撮影したデータをＷｉＭＡＸを用いて配信するＷｉＭＡＸ端末機能とを搭載する端末装置と、
前記端末装置から前記ＷｉＭＡＸ基地局を通して配信される前記データを収集する収集手段と、前記収集手段にて収集したデータの一括整理を行う整理手段と、前記整理手段で一括整理したデータを配信する配信手段とを含む管理サーバとを有することを特徴とする調査情報収集管理システム。
【請求項２】
前記端末装置として、
前記カメラと前記ＷｉＭＡＸ端末機能とを搭載する無線カメラと、
前記カメラと前記ＷｉＭＡＸ端末機能と前記調査対象及びその近傍の状態を調査する調査手段とを搭載する無線端末と、
前記カメラと前記ＷｉＭＡＸ端末機能と前記調査手段とを搭載しかつ遠隔操作に基づいて移動自在な無線操作移動体と
を前記調査領域内に配置することを特徴とする請求項１記載の調査情報収集管理システム。
【請求項３】
前記管理サーバは、前記無線カメラと前記無線端末と前記無線操作移動体とを遠隔操作する手段を含むことを特徴とする請求項２記載の調査情報収集管理システム。
【請求項４】
前記調査対象が場所を移動する場合に当該調査対象に取り付けた無線発信機からの信号を前記無線操作移動体にて追従することで当該調査対象の生態を監視することを特徴とする請求項２または請求項３記載の調査情報収集管理システム。
【請求項５】
前記無線カメラと前記無線端末と前記無線操作移動体とによるＩｄｌｅ  ＭｏｄｅのＬｏｃａｔｉｏｎ  Ｕｐｄａｔｅ機能を用いて前記調査対象の位置確認を行うことを特徴とする請求項４記載の調査情報収集管理システム。
【請求項６】
前記無線操作移動体は、無線による遠隔操作可能な飛翔体及び地上走行車のうちの少なくともいずれかであることを特徴とする請求項２から請求項５のいずれか記載の調査情報収集管理システム。
【請求項７】
少なくとも前記調査対象を撮影するカメラと前記カメラにて撮影したデータをＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ）を用いて配信するＷｉＭＡＸ端末機能とを搭載する端末装置から、調査対象を調査するための調査領域近辺に配置されたＷｉＭＡＸ基地局を通して配信される前記データを収集する収集手段と、
前記収集手段にて収集したデータの一括整理を行う整理手段と、
前記整理手段で一括整理したデータを配信する配信手段と
を有することを特徴とする調査情報収集管理装置。
【請求項８】
前記カメラと前記ＷｉＭＡＸ端末機能とを搭載する無線カメラと、前記カメラと前記ＷｉＭＡＸ端末機能と前記調査対象及びその近傍の状態を調査する調査手段とを搭載する無線端末と、前記カメラと前記ＷｉＭＡＸ端末機能と前記調査手段とを搭載しかつ遠隔操作に基づいて移動自在な無線操作移動体とが前記端末装置として前記調査領域内に配置される場合に前記無線カメラと前記無線端末と前記無線操作移動体とから前記データを収集することを特徴とする請求項７記載の調査情報収集管理装置。
【請求項９】
前記無線カメラと前記無線端末と前記無線操作移動体とを遠隔操作する手段を含むことを特徴とする請求項８記載の調査情報収集管理装置。
【請求項１０】
前記調査対象が場所を移動する場合に当該調査対象に取り付けた無線発信機からの信号を前記無線操作移動体にて追従することで当該調査対象の生態を監視することを特徴とする請求項８または請求項９記載の調査情報収集管理装置。
【請求項１１】
前記無線カメラと前記無線端末と前記無線操作移動体とによるＩｄｌｅ  ＭｏｄｅのＬｏｃａｔｉｏｎ  Ｕｐｄａｔｅ機能を用いて前記調査対象の位置確認を行うことを特徴とする請求項１０記載の調査情報収集管理装置。
【請求項１２】
前記無線操作移動体が、無線による遠隔操作可能な飛翔体及び地上走行車のうちの少なくともいずれかであることを特徴とする請求項８から請求項１１のいずれか記載の調査情報収集管理装置。
【請求項１３】
ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ）基地局を、調査対象を調査するための調査領域近辺に配置し、
少なくとも前記調査対象を撮影するカメラと前記カメラにて撮影したデータをＷｉＭＡＸを用いて配信するＷｉＭＡＸ端末機能とを搭載する端末装置を前記調査領域内に配置し、
管理サーバが、前記端末装置から前記ＷｉＭＡＸ基地局を通して配信される前記データを収集する収集処理と、前記収集処理にて収集したデータの一括整理を行う整理処理と、前記整理処理にて一括整理したデータを配信する配信処理とを実行することを特徴とする調査情報収集管理方法。
【請求項１４】
前記端末装置として、
前記カメラと前記ＷｉＭＡＸ端末機能とを搭載する無線カメラと、
前記カメラと前記ＷｉＭＡＸ端末機能と前記調査対象及びその近傍の状態を調査する調査手段とを搭載する無線端末と、
前記カメラと前記ＷｉＭＡＸ端末機能と前記調査手段とを搭載しかつ遠隔操作に基づいて移動自在な無線操作移動体と
を前記調査領域内に配置することを特徴とする請求項１３記載の調査情報収集管理方法。
【請求項１５】
前記管理サーバが、前記無線カメラと前記無線端末と前記無線操作移動体とを遠隔操作する処理を実行することを特徴とする請求項１４記載の調査情報収集管理方法。
【請求項１６】
前記調査対象が場所を移動する場合に当該調査対象に取り付けた無線発信機からの信号を前記無線操作移動体にて追従することで当該調査対象の生態を監視することを特徴とする請求項１４または請求項１５記載の調査情報収集管理方法。
【請求項１７】
前記無線カメラと前記無線端末と前記無線操作移動体とによるＩｄｌｅ  ＭｏｄｅのＬｏｃａｔｉｏｎ  Ｕｐｄａｔｅ機能を用いて前記調査対象の位置確認を行うことを特徴とする請求項１６記載の調査情報収集管理方法。
【請求項１８】
前記無線操作移動体が、無線による遠隔操作可能な飛翔体及び地上走行車のうちの少なくともいずれかであることを特徴とする請求項１４から請求項１７のいずれか記載の調査情報収集管理方法。
【発明の詳細な説明】
【技術分野】
【０００１】
本発明は調査情報収集管理システム、調査情報収集管理装置及びそれらに用いる調査情報収集管理方法に関し、特に文化財等の調査対象に対する調査情報の収集及び管理の方法に関する。
【背景技術】
【０００２】
遺跡、遺物、建造物、動植物、地層や自然景観等に対しては、学術調査や緊急調査等が行われており、その調査結果において価値の高いものが文化財として登録、保護されている。ここで、文化財とは、文化財保護法において保護の対象とされるものであり、有形文化財、無形文化財、民族文化財、記念物、文化的景観、伝統的建造物群がある。ここで、動植物は記念物として扱われ、文化財において天然記念物あるいは特別天然記念物として指定される。
【０００３】
本発明に関連する調査対象に対する調査情報の収集及び管理の方法としては、無線を用いた発掘及び文化財保護の方法があり、この方法では、実際に人が無線携帯端末を持って現場に入り、調査対象に対する調査を行うことが必要である。
【０００４】
上記の無線携帯端末を用いる調査方法としては、以下の特許文献１に記載の方法がある。特許文献１に記載の技術においては、各種情報の入出力及び書換えが可能なメモリチップと、このメモリチップに入力された各種情報を読取り可能な無線携帯端末とを備えている。
【０００５】
当該技術では、所定のフィールド内（フィールド圏内）に配置された複数の対象物のそれぞれに対して、その対象物に関する各種情報を入力したメモリチップがセットされた状態において、そのフィールド内で無線携帯端末を操作し、所望の対象物にセットされたメモリチップから各種情報を読取ることによって、その対象物に関する各種情報を取得できるようにしている。
【０００６】
【特許文献１】特開２００２−３３３８５７号公報
【発明の開示】
【発明が解決しようとする課題】
【０００７】
上述した本発明に関連する技術では、実際に人が無線携帯端末を持って調査現場に入って調査を行っているため、人が入り込めない場所の調査や壊れやすい物の調査、広範囲における調査、人件費等の問題を解決することができないという課題がある。
【０００８】
そこで、本発明の目的は上記の問題点を解消し、人が入り込めない場所の調査や壊れやすい物の調査、及び広範囲における調査を実現することができる調査情報収集管理システム、調査情報収集管理装置及びそれらに用いる調査情報収集管理方法を提供することにある。
【課題を解決するための手段】
【０００９】
本発明による調査情報収集管理システムは、調査対象を調査するための調査領域近辺に配置されたＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ）基地局と、
少なくとも前記調査対象を撮影するカメラと前記カメラにて撮影したデータをＷｉＭＡＸを用いて配信するＷｉＭＡＸ端末機能とを搭載する端末装置と、
前記端末装置から前記ＷｉＭＡＸ基地局を通して配信される前記データを収集する収集手段と、前記収集手段にて収集したデータの一括整理を行う整理手段と、前記整理手段で一括整理したデータを配信する配信手段とを含む管理サーバとを備えている。
【００１０】
本発明による調査情報収集管理装置は、少なくとも前記調査対象を撮影するカメラと前記カメラにて撮影したデータをＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ）を用いて配信するＷｉＭＡＸ端末機能とを搭載する端末装置から、調査対象を調査するための調査領域近辺に配置されたＷｉＭＡＸ基地局を通して配信される前記データを収集する収集手段と、
前記収集手段にて収集したデータの一括整理を行う整理手段と、
前記整理手段で一括整理したデータを配信する配信手段とを備えている。
【００１１】
本発明による調査情報収集管理方法は、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ）基地局を、調査対象を調査するための調査領域近辺に配置し、
少なくとも前記調査対象を撮影するカメラと前記カメラにて撮影したデータをＷｉＭＡＸを用いて配信するＷｉＭＡＸ端末機能とを搭載する端末装置を前記調査領域内に配置し、
管理サーバが、前記端末装置から前記ＷｉＭＡＸ基地局を通して配信される前記データを収集する収集処理と、前記収集処理にて収集したデータの一括整理を行う整理処理と、前記整理処理にて一括整理したデータを配信する配信処理とを実行している。
【発明の効果】
【００１２】
本発明は、上記のような構成及び動作とすることで、人が入り込めない場所の調査や壊れやすい物の調査、及び広範囲における調査を実現することができるという効果が得られる。
【発明を実施するための最良の形態】
【００１３】
次に、本発明の実施例について図面を参照して説明する。
【実施例１】
【００１４】
図１は本発明の第１の実施例による調査情報収集管理システムの構成例を示すブロック図である。図１において、本発明の第１の実施例による調査情報収集管理システムは、自国の文化財・遺産保護管理者の管理サーバ１と、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ）基地局（ＢＳ：Ｂａｓｅ  Ｓｔａｔｉｏｎ）２ａ〜２ｃと、ＷｉＭＡＸ端末機能を搭載した無線カメラ３ａ〜３ｄと、情報収集に必要な機能とカメラとＷｉＭＡＸ端末機能とを搭載した無線端末４ａ〜４ｄと、情報収集に必要な機能とカメラとＷｉＭＡＸ端末機能とを搭載した無線操作移動体５ａ〜５ｄと、各国の文化財・遺産保護管理者の管理サーバ６と、ＷｉＭＡＸ端末機能を搭載した無線端末やＰＣ（Ｐｅｒｓｏｎａｌ  Ｃｏｍｐｕｔｅｒ）等のユーザ端末７ａ，７ｂとから構成されている。
【００１５】
図１においては、管理サーバ１が管理サーバ６及びユーザ端末７ａに有線にて接続され、管理サーバ６がユーザ端末７ｂに有線にて接続される場合を示しているが、これらの機器の間を無線にて接続することも可能である。
【００１６】
図２は図１の管理サーバ１の構成例を示すブロック図である。図２において、管理サーバ１は遠隔操作制御部１１と、調査情報収集部１２と、調査情報蓄積部１３と、調査情報一括整理部１４と、調査情報配信部１５とを備えている。尚、図１に示す管理サーバ６も、この管理サーバ１と同様の構成としてもよい。また、管理サーバ１はこれら各部の処理にて本発明の調査情報収集管理装置として動作する。
【００１７】
図３は本発明の第１の実施例による無線カメラの構成例を示すブロック図である。図３において、無線カメラ３はＷｉＭＡＸ端末機能部３１と、遠隔操作制御部３２と、カメラ部３３とを備えている。図１に示す無線カメラ３ａ〜３ｄはそれぞれ、この無線カメラ３と同様の構成となっている。
【００１８】
図４は本発明の第１の実施例による無線端末の構成例を示すブロック図である。図４において、無線端末４はＷｉＭＡＸ端末機能部４１と、遠隔操作制御部４２と、カメラ部４３と、環境調査機能部４４とを備えている。図１に示す無線端末４ａ〜４ｄはそれぞれ、この無線端末４と同様の構成となっている。
【００１９】
図５は本発明の第１の実施例による無線操作移動体の構成例を示すブロック図である。図５において、無線操作移動体５はＷｉＭＡＸ端末機能部５１と、遠隔操作制御部５２と、カメラ部５３と、環境調査機能部５４と、移動駆動部５５とを備えている。図１に示す無線操作移動体５ａ〜５ｄはそれぞれ、この無線操作移動体５と同様の構成となっている。
【００２０】
尚、無線操作移動体５，５ａ〜５ｄとしては、無線操作可能な飛翔体（例えば、ヘリコプター等）、地上走行車等が考えられる。また、環境調査機能部４４としては、例えば、湿度や温度を計測する機能、振動（地震の震度）を計測する機能、排気ガス等の濃度を測定する機能、超音波等による壁面等の構造物の内部状態を観測する機能（非破壊検査機能）等があり、環境調査機能部５４としては、例えば、地下レーダ探査、電気探査、自器探査、電磁法探査等の探査機能、地表面の温度等を測定する機能等がある。
【００２１】
図６は図１の管理サーバ１の動作を示すフローチャートである。これら図１〜図６を参照して本発明の第１の実施例による調査情報収集管理システムの動作について説明する。尚、本発明の第１の実施例では、ターゲットＡ〜Ｄをそれぞれ建造物としている。
【００２２】
本発明の第１の実施例では、ＷｉＭＡＸ基地局２ａ〜２ｃを、過疎地やターゲットＡ〜Ｄとなる文化財・遺産保護区域近辺に設置している。また、本発明の第１の実施例では、無線カメラ３ａ〜３ｄと無線端末４ａ〜４ｄと無線操作移動体５ａ〜５ｄとを、過疎地やターゲットＡ〜Ｄとなる文化財・遺産保護区域内に配置している。
【００２３】
管理サーバ１は遠隔操作制御部１１から遠隔操作制御部３２，４２，５２にそれぞれ指示を送って、無線カメラ３ａ〜３ｄと無線端末４ａ〜４ｄと無線操作移動体５ａ〜５ｄとを遠隔操作することで、保護のターゲットＡ〜Ｄとなる建造物の状態とその近隣の環境とを調査して調査情報（文化財・遺産として登録されている場合には文化財・遺産情報）を収集する（図６ステップＳ１）。
【００２４】
また、管理サーバ１は、無線カメラ３ａ〜３ｄと無線端末４ａ〜４ｄと無線操作移動体５ａ〜５ｄとからＷｉＭＡＸ基地局２ａ，２ｂを経由して２４時間常に送られてくる画像及びデータ情報をターゲットＡ〜Ｄの状態としてリアルタイムに受信している。
【００２５】
尚、遠隔操作制御部１１から遠隔操作制御部３２，４２，５２への指示はプログラムによって一定パターンで行うことも、またオペレータからの指示に基づいて行うことも可能とする。上記の画像及びデータ情報としては、調査対象である建造物の痛み具合、実際に人が入り込んで確認できないような場所［地下部分、狭い箇所（隙間部分）、壁面等］の内部状態等の画像やデータが考えられる。
【００２６】
管理サーバ１は、無線カメラ３ａ〜３ｄと無線端末４ａ〜４ｄと無線操作移動体５ａ〜５ｄとによって収集した情報を調査情報（文化財・遺産情報）として一括して整理する（図６ステップＳ２）。
【００２７】
管理サーバ１は、一括して整理した調査情報（文化財・遺産情報）をＷｉＭＡＸを含む無線及び有線にて各国の管理サーバ６に配信し（図６ステップＳ３）、これらの調査情報を世界で共有することで最新のサンプル数を増やす。
【００２８】
管理サーバ１は一括して整理した画像及びデータ情報の調査情報に基づいて決定された保護の方法及び保護の方向性の確立結果、文化財・遺産としての保護の規模及び程度を受信すると（図６ステップＳ４）、文化財・遺産として保護するものかを判定する（図６ステップＳ５）。
【００２９】
管理サーバ１は、文化財・遺産として保護するものであれば、最低限周知が必要な内容（調査対象の全貌の映像、あるいは特徴的な部分）を番組として、過疎地を含む一般市民の無線端末やＰＣにＷｉＭＡＸ等を用いて無料にて動画配信する（図６ステップＳ６）。
【００３０】
管理サーバ１は、保存や修復に資金がかかりそうな調査対象物（文化財・遺産）について（図６ステップＳ７）、詳細な内容や特典映像等を番組として、有料で無線端末４ａ〜４ｄやＰＣにＷｉＭＡＸ等を用いて一般市民に動画配信する（図６ステップＳ８）。同時に、管理サーバ１は、一括して整理した画像及びデータ情報の調査情報を３Ｄ映像等に加工して教育資料として、保全専門技術者及びその志望者の無線端末やＰＣにＷｉＭＡＸ等を用いて配信する（図６ステップＳ９）。最後に、調査対象物が利用が可能な建造物の場合には、有料で一般に広く貸し出すことも可能である。
【００３１】
このように、本実施例では、調査対象物（文化財・遺産）の調査及び保護のために、ＷｉＭＡＸ端末機能や情報収集に必要な機能を搭載する無線カメラ３ａ〜３ｄ、無線端末４ａ〜４ｄ、無線操作移動体５ａ〜５ｄを使用しているので、調査情報の収集を無人化して行うことができるため、人が入り込めない場所の調査や精巧で壊れやすい物の調査、及び広範囲における調査を実現することができる。この場合、本実施例では、調査を無人化して行うことができるため、人件費を削減することができ、資金不足を解消することができる。
【００３２】
また、本実施例では、調査対象物（文化財・遺産）の調査及び保護のために保存すべき建造物の周辺や地下を含む広帯域をカバーすることができ、また同時に接続可能な端末数が多いＷｉＭＡＸ基地局２ａ，２ｂを配置することで、設置する装置の数を最小限にすることができるので、環境を保護することができ、予算も削減することができる。
【００３３】
さらに、本実施例では、ＷｉＭＡＸ端末機能を搭載した一般の無線端末やＰＣ等へ、調査対象物（文化財・遺産）の調査及び保護のために収集した画像やデータ情報を番組として映像配信することができるため、一般市民の調査対象物（文化財・遺産）に対する意識を向上させることができる。
【００３４】
本実施例では、ＷｉＭＡＸ端末機能を搭載した一般の無線端末やＰＣ等へ、調査対象物（文化財・遺産）の調査及び保護のために収集した画像やデータ情報を番組として映像配信することで、一般市民の調査対象物（文化財・遺産）に対する意識が向上可能となり、建造物の利用を考える人が増加が見込めるため、現在、ホールとしての使用や展示場としてごく限られた分野で使用されている建造物等の有効利用を図ることが可能となる。
【００３５】
本実施例では、建造物等をはじめとする調査対象物（文化財・遺産）の有効利用によって、調査対象物（文化財・遺産）の調査及び保護のための資金収集が可能となるため、資金不足の解消が可能となる。
【００３６】
本実施例では、調査対象物（文化財・遺産）の調査及び保護のために収集した画像やデータ情報の配信方法においてＷｉＭＡＸを使用することで、高速移動中でも過疎化した僻地でも情報を得ることが可能であり、閲覧可能な地域の増加が見込めるため、一般市民の遺産に対する意識を向上させることが可能となり、保存修復に当る専門技術者を志望する者の増加を見込むことができる。
【００３７】
本実施例では、ＷｉＭＡＸ端末機能を搭載した無線端末やＰＣ等に、調査対象物（文化財・遺産）の調査及び保護のために収集した画像やデータ情報によって現物に近い状態の公開が可能となるため、調査対象物（文化財・遺産）の現物を広く公開し、保全修復に携わる専門技術者の育成に活用することが可能となる。
【００３８】
本実施例では、調査対象物（文化財・遺産）の保護のために、ＷｉＭＡＸ端末機能や情報収集に必要な機能を搭載した無線カメラ３ａ〜３ｄ、無線端末４ａ〜４ｄ、無線操作移動体５ａ〜５ｄを使用することで、人が入るのが困難な場所や精巧で壊れやすいようなものであっても調査することができるため、調査対象物（文化財・遺産）の全貌やその近隣の情報を収集してサンプル数を増やすことができる。
【００３９】
本実施例では、収集した画像やデータ情報を常にＷｉＭＡＸを用いて文化財・遺産管理者の管理サーバ１へリアルタイムで配信することができるため、建造物を２４時間監視することで、より正確なサンプルを取得することができる。
【００４０】
本実施例では、収集した画像やデータ情報をＷｉＭＡＸまたは有線にて各国の文化財・遺産保護に携わる管理者の管理サーバ６へと配信することで、世界レベルで情報を共有し、その保護レベルを管理することができ、調査対象物（文化財・遺産）の保護の程度や重要度を世界レベルで判定することができるため、保護・保全に関する管理に対し、的確な基準を得ることが可能であり、保護・保全に関するマネージメントを適切に行うことができる。
【００４１】
本実施例では、保存や修復に資金がかかりそうな調査対象物（文化財・遺産）について、情報提供として興味が持てる程度の親しみやすい内容のみを無料配信とし、詳細な内容や特典映像等を番組として、ＷｉＭＡＸ端末機能を搭載した一般市民の無線端末やＰＣにＷｉＭＡＸを用いて有料で動画配信し、さらに一括して整理した画像及びデータ情報の調査情報を３Ｄ映像等に加工して教育資料として、保全専門技術者及びその志望者の無線端末やＰＣにＷｉＭＡＸ等を用いて有料で配信することができるため、調査対象物（文化財・遺産）の調査や保護について資金不足を解消することが可能となる。
【００４２】
本実施例では、調査対象物（文化財・遺産）の状態を２４時間チェックすることができるため、異常が生じた場合の対応を迅速に行うことができる。
【００４３】
本実施例では、収集した画像及びデータ情報を広くＷｉＭＡＸを用いて配信することで、過疎地等も含め、多くの人が情報を入手することができるため、一般市民の調査対象物（文化財・遺産）への意識を向上させることができ、さらにより多くの専門家に情報が公開され、迅速に対応を求めることが可能となるため、無知の人が知らずに保護区域を脅かす可能性を減らすことができ、また専門的な意見を広く得ることができる。
【実施例２】
【００４４】
図７は本発明の第２の実施例による管理サーバの動作を示すフローチャートである。本発明の第２の実施例では、ターゲットＡ〜Ｄを発掘調査の対象物（文化財・遺産）とした以外は、図１に示す本発明の第２の実施例による調査情報収集管理システムと同様の構成となっており、各構成要素は図２〜図５に示す構成と同様である。これら図１〜図５と図７とを参照して本発明の第２の実施例による調査情報収集管理システムの動作について説明する。
【００４５】
発掘調査の対象物（文化財・遺産）の調査のターゲットＡ〜Ｄとなる発掘区域近辺にＷｉＭＡＸ基地局２ａ，２ｂを配置する。ＷｉＭＡＸ基地局２ａ，２ｂを設置する数は環境保護と予算削減とを考慮して最小限とする。
【００４６】
さらに、発掘に関するサンプル収集とその発掘区域の保護とのためには、発掘現場の近隣やその地中を含む広範囲における調査や人が立ち入るのが困難な場所の確認も必要となるため、そういった点を重視し、同区域内にＷｉＭＡＸ端末機能３１，４１，５１と情報収集に必要な機能とを搭載した無線カメラ３ａ〜３ｄ、無線端末４ａ〜４ｄ、無線操作移動体５ａ〜５ｄをそれぞれ配置する。
【００４７】
管理サーバ１は遠隔操作制御部１１から遠隔操作制御部３２，４２，５２にそれぞれ指示を送ることで、無線カメラ３ａ〜３ｄと無線端末４ａ〜４ｄと無線操作移動体５ａ〜５ｄとを遠隔操作することで、保護のターゲットＡ〜Ｄとなる発掘現場の状況及び地中の様子を調査して調査情報（文化財・遺産として登録されている場合には文化財・遺産情報）を収集する（図７ステップＳ１１）。
【００４８】
また、管理サーバ１は、無線カメラ３ａ〜３ｄと無線端末４ａ〜４ｄと無線操作移動体５ａ〜５ｄとからＷｉＭＡＸ基地局２ａ，２ｂを経由して２４時間常に送られてくる画像及びデータ情報をターゲットＡ〜Ｄの状態としてリアルタイムに受信している。管理サーバ１の情報収集時には、無線カメラ３ａ〜３ｄにて２４時間監視する。
【００４９】
管理サーバ１は、無線カメラ３ａ〜３ｄと無線端末４ａ〜４ｄと無線操作移動体５ａ〜５ｄとによって収集した情報を調査情報（文化財・遺産情報）として一括して整理する（図７ステップＳ１２）。
【００５０】
管理サーバ１は、一括して整理した調査情報（文化財・遺産情報）をＷｉＭＡＸを含む無線及び有線にて各国の管理サーバ６に配信し（図７ステップＳ１３）、これらの調査情報を世界で共有することで最新のサンプル数を増やす。
【００５１】
管理サーバ１は一括して整理した画像及びデータ情報の調査情報に基づいてターゲットＡ〜Ｄが発掘するに値するものかどうかの判断結果、保護の方法及び保護の方向性の確立結果、決定された文化財・遺産としての保護の規模及び程度を受信すると（図７ステップＳ１４）、文化財・遺産として保護するものかを判定する（図７ステップＳ１５）。
【００５２】
管理サーバ１は、文化財・遺産として保護するものであれば、最低限周知が必要な内容（調査対象の全貌の映像、あるいは特徴的な部分）を番組として、過疎地を含む一般市民の無線端末やＰＣにＷｉＭＡＸ等を用いて無料にて動画配信する（図６ステップＳ６）。本実施例では、この動画配信によって、過疎地を含む一般市民に調査対象物（文化財・遺産）の保護への意識向上を促す。
【００５３】
管理サーバ１は、発掘や保存、及び修復に資金がかかりそうな調査対象物（文化財・遺産）について（図７ステップＳ１７）、詳細な内容や特典映像等を番組として、有料で無線端末４ａ〜４ｄやＰＣにＷｉＭＡＸ等を用いて一般市民に動画配信する（図７ステップＳ１８）。同時に、管理サーバ１は、一括して整理した画像及びデータ情報の調査情報を３Ｄ映像等に加工して教育資料として、保全専門技術者及びその志望者の無線端末やＰＣにＷｉＭＡＸ等を用いて配信する（図７ステップＳ１９）。
【００５４】
このように、本実施例では、ＷｉＭＡＸ端末機能部３１，４１，５１と情報収集に必要な機能とを搭載した無線カメラ３ａ〜３ｄ、無線端末４ａ〜４ｄ、無線操作移動体５ａ〜５ｄを使用して無人化することで、人が入り込めない場所の調査や精巧で壊れやすい物の調査、及び広範囲における調査を実現することができる。この場合、本実施例では、調査を無人化して行うことができるため、人件費を削減することができ、また発掘すべき場所やターゲットをしぼることができ、発掘調査のための資金不足を解消し、時間短縮を図ることができる。
【００５５】
また、本実施例では、広帯域である発掘調査区域全体をカバーすることができ、同時に接続可能な端末数が多いＷｉＭＡＸ基地局２ａ，２ｂを配置することで、設置する装置の数を最小限とすることができるため、発掘地域を保護することができ、予算も削減することができる。
【００５６】
本実施例では、ＷｉＭＡＸ端末機能を搭載した一般の無線端末やＰＣ等へ、調査対象物（文化財・遺産）の調査及び保護のために収集した画像やデータ情報を番組として映像配信することで、一般市民の発掘に対する意識の向上を図ることができるため、一般市民の発掘に対する理解を得ることが可能となり、無知な人による発掘現場への侵入を防ぐことが可能となる。
【００５７】
本実施例では、ＷｉＭＡＸ端末機能を搭載した無線端末やＰＣ等へ、調査対象物（文化財・遺産）の調査及び保護のために収集した画像やデータ情報を番組として過疎地も含めて、一般に映像配信できる範囲を広げることができるため、発掘作業及びその保存修復に当る専門技術者を志望する者を増やすことが可能となり、かつ場所を問わずその育成を図ることが可能となる。
【００５８】
本実施例では、発掘区域保護のために、ＷｉＭＡＸ端末機能部３１，４１，５１と情報収集に必要な機能とを搭載した無線カメラ３ａ〜３ｄ、無線端末４ａ〜４ｄ、無線操作移動体５ａ〜５ｄを使用することで、人が入るのが困難な地域や日数がかかるような広大な土地であっても調査が可能であり、さらに現場の状況を乱すことなく、正確な情報を収集することができ、その取得した画像及びデータ情報を常にＷｉＭＡＸを用いて文化財・遺産管理者の管理サーバ１へリアルタイムで配信することができるため、２４時間にわたり、発掘区域の全貌やその詳細等の情報を収集して常に最新のサンプル数を増やすことができる。
【００５９】
本実施例では、取得した画像及びデータ情報をＷｉＭＡＸ、または有線にて各国の文化財・遺産保護に携わる管理者の管理サーバ６へと配信することで、世界レベルで情報を共有し、その保護レベルを管理することができるため、発掘におけるターゲットの重要度を世界レベルで判定可能となり、保護・保全に関する管理に対し、確固たる基準を得ることが可能となり、資金や労力の無駄遣いを防ぐことができる。
【実施例３】
【００６０】
図８は本発明の第３の実施例による調査情報収集管理システムの構成例を示すブロック図である。図８において、本発明の第３の実施例による調査情報収集管理システムは、ターゲットＥ〜Ｈをそれぞれ動植物とし、ターゲットＥ〜Ｈ各々に、ＷｉＭＡＸ端末機能を搭載した無線発信機８ａ〜８ｄを取り付けた以外は、図１に示す本発明の第１の実施例による調査情報収集管理システムと同様の構成となっており、同一構成要素には同一符号を付してある。また、同一構成要素の動作は本発明の第１の実施例と同様である。
【００６１】
つまり、本発明の第１の実施例による調査情報収集管理システムは、自国の文化財・遺産保護管理者の管理サーバ１と、ＷｉＭＡＸ基地局２ａ〜２ｃと、ＷｉＭＡＸ端末機能を搭載した無線カメラ３ａ〜３ｄと、情報収集に必要な機能とカメラとＷｉＭＡＸ端末機能とを搭載した無線端末４ａ〜４ｄと、情報収集に必要な機能とカメラとＷｉＭＡＸ端末機能とを搭載した無線操作移動体５ａ〜５ｄと、各国の文化財・遺産保護管理者の管理サーバ６と、ＷｉＭＡＸ端末機能を搭載した無線端末やＰＣ等のユーザ端末７ａ，７ｂと、ＷｉＭＡＸ端末機能を搭載した無線発信機８ａ〜８ｄとから構成されている。
【００６２】
尚、管理サーバ１、無線カメラ３ａ〜３ｄ、無線端末４ａ〜４ｄ、無線操作移動体５ａ〜５ｄは、それぞれ図２〜図５に示す管理サーバ１、無線カメラ３、無線端末４、無線操作移動体５と同様の構成となっている。但し、無線カメラ３、無線端末４、無線操作移動体５に、無線発信機８ａ〜８ｄからのＷｉＭＡＸ以外の無線信号を受信する機能を設けることも可能である。
【００６３】
図９は本発明の第３の実施例による無線発信機の構成例を示すブロック図である。図９において、無線発信機８はＷｉＭＡＸ端末機能部８１と、無線発信部８２とを備えている。尚、無線発信部８２はＷｉＭＡＸ端末機能部８１を通さずにＷｉＭＡＸ以外の無線信号を送信することも可能である。また、上記の無線発信機８ａ〜８ｄはこの無線発信機８と同様の構成となっている。
【００６４】
図１０及び図１１は図８の管理サーバ１の動作を示すフローチャートである。これら図８〜図１１を参照して本発明の第３の実施例による調査情報収集管理システムの動作について説明する。
【００６５】
本発明の第３の実施例では、ＷｉＭＡＸ基地局２ａ〜２ｃを、過疎地、ターゲットＥ〜Ｈとなる文化財・遺産保護区域近辺に設置している。また、本発明の第３の実施例では、無線カメラ３ａ〜３ｄと無線端末４ａ〜４ｄと無線操作移動体５ａ〜５ｄとを、過疎地やターゲットＥ〜Ｈとなる文化財・遺産保護区域内に配置している。
【００６６】
管理サーバ１は遠隔操作制御部１１から遠隔操作制御部３２，４２，５２にそれぞれ指示を送って、無線カメラ３ａ〜３ｄと無線端末４ａ〜４ｄと無線操作移動体５ａ〜５ｄとを遠隔操作することで、保護のターゲットＥ〜Ｈとなる動植物の生態を調査して調査情報（文化財・遺産として登録されている場合には文化財・遺産情報）を収集する（図１０ステップＳ２１）。
【００６７】
管理サーバ１は、この調査情報の収集の際に、一定の場所にとどまらないターゲットを発見した場合（図１０ステップＳ２２）、そのターゲットの所在地を特定する（図１０ステップＳ２３）。この時のターゲットの位置確認は、ＷｉＭＡＸのＩｄｌｅ  ＭｏｄｅのＬｏｃａｔｉｏｎ  Ｕｐｄａｔｅ機能を利用して各ＷｉＭＡＸ端末機能部３１，４１，５１を搭載する無線カメラ３ａ〜３ｄ、無線端末４ａ〜４ｄ、無線操作移動体５ａ〜５ｄがどのＷｉＭＡＸ基地局２ａ，２ｂの配下にあるかを確認し、大まかな位置情報を割り出す。
【００６８】
この後、一定の場所にとどまらないターゲットに対しては、無線操作移動体５ａ〜５ｄを遠隔操作して、無線発信機８ａ〜８ｄを取り付けるか、実際に人が無線発信機８ａ〜８ｄを取り付けに行く。
【００６９】
管理サーバ１は、ターゲットに取り付けた無線発信機８ａ〜８ｄからの無線信号を特定の無線操作移動体５ａ〜５ｄが２４時間常に追従して、画像（ターゲットの映像）を含む情報を収集する（図１０ステップＳ２４）。その画像及びデータ情報はＷｉＭＡＸ基地局２ａ，２ｂを経由して、文化財・遺産保護管理者の管理サーバ１にリアルタイムで伝送される。
【００７０】
管理サーバ１は、収集した画像及びデータ情報を自国内で調査情報（文化財・遺産情報）として一括して整理する（図１０ステップＳ２５）。管理サーバ１は、一括して整理した調査情報（文化財・遺産情報）をＷｉＭＡＸを含む無線及び有線を通じて各国の管理サーバ６に配信し（図１０ステップＳ２６）、これらの調査情報を世界で情報を共有することで最新のサンプル数を増やす。
【００７１】
管理サーバ１は一括して整理した画像及びデータ情報の調査情報に基づいて決定された保護の方法及び保護の方向性の確立結果、文化財・遺産としての保護の規模及び程度を受信すると（図１０ステップＳ２７）、文化財・遺産として保護するものかを判定する（図１０ステップＳ２８）。
【００７２】
管理サーバ１は、文化財・遺産として保護するものであれば、最低限周知が必要な内容（調査対象の全貌の映像、あるいは特徴的な部分）を番組として、過疎地を含む一般市民の無線端末やＰＣにＷｉＭＡＸ等を用いて無料にて動画配信する（図１１ステップＳ２９）。
【００７３】
管理サーバ１は、保存や修復に資金がかかりそうな調査対象物（文化財・遺産）について（図１１ステップＳ３０）、詳細な内容や特典映像等を番組として、有料で無線端末４ａ〜４ｄやＰＣにＷｉＭＡＸ等を用いて一般市民に動画配信する（図１１ステップＳ３１）。同時に、管理サーバ１は、一括して整理した画像及びデータ情報の調査情報を３Ｄ映像等に加工して教育資料として、保全専門技術者及びその志望者の無線端末やＰＣにＷｉＭＡＸ等を用いて配信する（図１１ステップＳ３２）。
【００７４】
このように、本実施例では、調査対象物（文化財・遺産）の調査及び保護のために、ＷｉＭＡＸ端末機能や情報収集に必要な機能を搭載する無線カメラ３ａ〜３ｄ、無線端末４ａ〜４ｄ、無線操作移動体５ａ〜５ｄを使用しているので、調査情報の収集を無人化して行うことができるため、人が入り込めない場所の調査や精巧で壊れやすい物の調査、及び広範囲における調査を実現することができる。この場合、本実施例では、調査を無人化して行うことができるため、人件費を削減することができ、資金不足を解消することができる。
【００７５】
また、本実施例では、調査対象物（文化財・遺産）の調査及び保護のために保存すべき建造物の周辺や地下を含む広帯域をカバーすることができ、また同時に接続可能な端末数が多いＷｉＭＡＸ基地局２ａ，２ｂを配置することで、設置する装置の数を最小限にすることができるので、環境を保護することができ、予算も削減することができる。
【００７６】
さらに、本実施例では、ＷｉＭＡＸ端末機能を搭載した一般の無線端末やＰＣ等へ、調査対象物（文化財・遺産）の調査及び保護のために収集した画像やデータ情報を番組として映像配信することができるため、一般市民の調査対象物（文化財・遺産）に対する意識を向上させることができる。
【００７７】
本実施例では、調査対象物（文化財・遺産）の調査及び保護のために、ＷｉＭＡＸ端末機能や情報収集に必要な機能を搭載する無線カメラ３ａ〜３ｄ、無線端末４ａ〜４ｄ、無線操作移動体５ａ〜５ｄを使用しているので、人が入るのが困難な地域や危険な動植物であっても調査が可能であり、さらに生態系を脅かすことなく、調査をすることができるため、文化財・遺産の全貌や動植物の数や生息区域またその生態等の情報を収集して多くのサンプル数を増やすことができる。
【００７８】
本実施例では、情報取得時に、２４時間映像を監視し、動物等のターゲットとなる調査対象［文化財（天然記念物あるいは特別天然記念物）が場所を移動するようなものである場合、ターゲットに遠隔操作または実際に人が出向いて無線発信機８ａ〜８ｄを取り付け、無線発信機８ａ〜８ｄからの信号を無線操作移動体５ａ〜５ｄで追従することによって、生態を監視することができ、さらに高速移動に対応できるＷｉＭＡＸを用いて情報収集を行うため、動物が高速で動く場合でも問題なく、その行動を追うことができるため、動植物を２４時間追従することで、より正確なサンプルを取得することができる。
【００７９】
本実施例では、取得した画像及びデータ情報を常にＷｉＭＡＸを用いて文化財・遺産管理者の管理サーバ１へリアルタイムで配信することができるため、最新のサンプルを得ることができる。
【００８０】
本実施例では、取得した画像及びデータ情報をＷｉＭＡＸ、無線または有線にて各国の文化財・遺産保護に携わる管理者の管理サーバ６へと配信することで、世界レベルで情報を共有し、その保護レベルを管理することができるので、文化財・遺産の保護の程度や重要度を世界レベルで判定することでき、保護・保全に関する管理に対し、的確な基準を得ることが可能となり、保護・保全に関するマネージメントを適切に行うことが可能となる。
【００８１】
本実施例では、保存や修復に資金がかかりそうな文化財・遺産について、一般への情報提供を、興味が持てる程度の親しみやすい内容のみ無料配信とし、詳細な内容や特典映像等を有料でＷｉＭＡＸ端末機能を搭載した無線端末やＰＣにＷｉＭＡＸを用いて番組として一般市民に動画配信し、さらに保全専門技術者及びその志望者に、３Ｄ映像等に加工して教育資料としてＷｉＭＡＸ端末機能を搭載した無線端末やＰＣにＷｉＭＡＸを用いて有料配信することで、文化財・遺産について、詳細な内容や特典映像等を配信することで、資金不足を解消することが可能となる。
【００８２】
本実施例では、上記のように、２４時間、調査対象（文化財・遺産）の状態をチェックすることが可能となるため、調査対象（文化財・遺産）に異常が生じた場合の対応を迅速に行うことが可能となる。
【００８３】
本発明に関連する技術では、文化財・遺産に関する調査、保全のための資金が不足しているという問題、資金不足を補うために課税を行うことが検討されても、一般市民の文化財・遺産に対する意識が欠如していることもあり、一般市民の理解が得られないという問題、建造物の利用方法が限られているという問題、保存修復に当る専門技術者が不足しているという問題、動植物を保護するための情報としてその生息場所や数等のサンプル数が少ないという問題、保護・保全に関するマネージメントの問題、等々がある。
【００８４】
上記のような文化財・遺産の調査対象以外にも、例えば、地震によって生じた亀裂等の調査においても、余震のために調査現場に立ち入ることができなければ、緊急に調査したくとも調査することができないという問題等がある。また、調査対象としては、文化財・遺産の調査対象以外にも、自然保護の対象やレッドデータブックに記録される対象等の調査においても、上記と同様の問題がある。
【００８５】
そこで、本発明では、調査対象（文化財・遺産）の保護のために保護のターゲットとなる調査対象の調査領域近辺（建造物等の文化財・遺産保護区域近辺、発掘区域近辺、動植物の生息域近辺）にＷｉＭＡＸ基地局２ａ，２ｂを配置している。この場合、ＷｉＭＡＸ基地局２ａ，２ｂを設置する数は、環境保護と予算削減を考慮して最小限とする。
【００８６】
また、本発明では、建造物に関するサンプル収集とその保護とのために、あるいは発掘に関するサンプル収集とその発掘区域の保護とのために、または動植物に関するサンプル収集とその保護のために、広範囲にわたる調査が必要でかつ人が立ち入るのが困難な場所の確認も必要となるため、それらの点を重視し、調査領域内に、ＷｉＭＡＸ端末機能部３１，４１，５１、情報収集に必要な機能、カメラ等を搭載した無線カメラ３ａ〜３ｄ、無線端末４ａ〜４ｄ、無線操作移動体（無線操作可能なヘリコプター、地上走行車等）５ａ〜５ｄを配置している。
【００８７】
本発明では、これらの無線装置を遠隔操作することで、保護のターゲットとなる建造物の状態及びその近隣の環境、発掘現場の状況及び地中の様子、動植物の生態を調査して調査情報を収集する。特に、動物は一定の箇所にはとどまらないため、カメラで確認するだけではその数や生態を知ることはできない。
【００８８】
よって、ターゲットが移動する調査対象（文化財・遺産）である場合には、そのターゲットの位置を特定し、無線操作移動体５ａ〜５ｄを遠隔操作して、ターゲットに無線発信機８ａ〜８ｄを取り付けるか、実際に人がターゲットに無線発信機８ａ〜８ｄを取り付けに行く。
【００８９】
この時のターゲットの位置確認はＷｉＭＡＸのＩｄｌｅ  ＭｏｄｅのＬｏｃａｔｉｏｎ  Ｕｐｄａｔｅ機能を利用して各ＷｉＭＡＸ端末機能を搭載する機器がどのＷｉＭＡＸ基地局の配下にあるかを確認し、大まかな位置情報を割り出す。Ｌｏｃａｔｉｏｎ  Ｕｐｄａｔｅ機能はＷｉＭＡＸ端末機能を搭載する機器が移動した時に、Ｌｏｃａｔｉｏｎ情報をＷｉＭＡＸ基地局に通知する機能である。
【００９０】
本発明では、ターゲットに取り付けられた無線発信機８ａ〜８ｄを特定の無線操作移動体５ａ〜５ｄが常に追従し、その画像及びデータ情報をＷｉＭＡＸ基地局２ａ，２ｂを経由して、文化財・遺産保護管理者の管理サーバ１にリアルタイムで伝送する。調査情報の取得時には、２４時間、無線カメラ３ａ〜３ｄにて監視する。ＷｉＭＡＸは時速１２０ｋｍまでの高速移動に対応することができるので、動物が高速で動く場合でも問題なく、その行動を追うことができる。
【００９１】
収集した調査情報は、まず自国内で文化財・遺産情報として一括して整理し、その一括して整理した調査情報をＷｉＭＡＸを含む無線及び有線を通じて各国に配信し、世界で調査情報を共有することで、最新のサンプル数を増やす。
【００９２】
よって、本発明では、このサンプル情報を基に保護の方法や方向性を確立し、文化財・遺産としての保護の規模や程度を決定することができる。文化財・遺産として保護するものであれば、最低限周知が必要な内容は、ＷｉＭＡＸ端末機能を搭載する無線端末やＰＣにＷｉＭＡＸを用いて番組として過疎地を含む一般市民に動画配信することで、一般市民に対して文化財・遺産の保護への意識向上を促すことができる。
【００９３】
本発明では、ＷｉＭＡＸ端末機能を搭載する無線端末やＰＣ等へ調査対象（文化財・遺産）の調査及び保護のために収集した動画像や情報を番組として一般に映像配信して、一般市民の文化財に対する意識向上を促すことで、現在はホールとしての使用や展示場としてごく限られた分野で使用されている建造物等の文化財の有効利用が可能である。本発明では、建造物をはじめとする文化財の有効利用によって、資金を収集することができ、資金不足を解消することが可能である。
【００９４】
本発明では、ＷｉＭＡＸ端末機能を搭載する無線端末やＰＣ等へ調査対象（文化財・遺産）の調査及び保護のために収集した動画像や情報を番組として一般に映像配信して、一般市民の文化財・遺産に対する意識向上を促すことで、保存修復に当る専門技術者を志望する者を増やすことが可能である。
【００９５】
また、本発明では、ブロードバンド化が危ぶまれる過疎地へもＷｉＭＡＸを用いてブロードバンド化を行うことで、ＷｉＭＡＸ端末機能を搭載する無線端末やＰＣ等へ調査対象（文化財・遺産）の調査及び保護のために収集した動画像や情報を番組として一般に映像配信できる範囲が広まり、保存修復に当る専門技術者を志望する者を増やすことが可能である。
【００９６】
さらに、保存や修復に資金がかかりそうな調査対象（文化財・遺産）については、資金源とするために、詳細な内容や特典映像等を有料でＷｉＭＡＸ端末機能を搭載した無線端末やＰＣにＷｉＭＡＸを用いて番組として一般市民に動画配信するととも、保全専門技術者及びその志望者に対して、３Ｄ映像等に加工して教育資料として、ＷｉＭＡＸ端末機能搭載を無線端末やＰＣにＷｉＭＡＸを用いて配信することで提供する。
【００９７】
本発明では、ＷｉＭＡＸ端末機能を搭載する無線端末やＰＣ等に、調査対象（文化財・遺産）の調査及び保護のために収集した画像やデータ情報を番組として映像配信することによって、保全修復に携わる専門技術者の育成に活用することが可能である。
【００９８】
本発明では、高速移動に耐えうるＷｉＭＡＸ端末機能を搭載する無線端末へ調査対象（文化財・遺産）の調査及び保護のために収集した動画像や情報を番組として配信すれば、現在の携帯端末で見ることのできるワンセグメント放送による番組視聴の際の問題である、移動時に電波状況が刻々と変化するため、瞬時に弱電界に入ると音声が途切れ途切れになり、視聴者に不快感を与えるといった問題を解決することができ、場所を問わず、一般市民への情報公開や技術者の専門技術の取得が可能である。
【００９９】
本発明では、調査対象（文化財・遺産）の保護のために、ＷｉＭＡＸ端末機能部３１を搭載する無線カメラ３ａ〜３ｄ、情報収集に必要な機能とＷｉＭＡＸ端末機能部４１，５１とを搭載する無線端末４ａ〜４ｄ及び無線操作移動体５ａ〜５ｄを使用することで、人が入るのが困難な地域や危険な動植物であっても調査が可能であり、更に生態系を脅かすことなく、その文化財・遺産の全貌や、動植物の数と生息区域またはその生態等の情報を収集してサンプル数を増やすことが可能である。
【０１００】
本発明では、建造物の保全に対しても、広範囲における調査を、情報収集に必要な機能とＷｉＭＡＸ端末機能部４１，５１とを搭載する無線端末４ａ〜４ｄ及び無線操作移動体５ａ〜５ｄで画像を収集もしくは地中のデータを無線で調査し、その結果を無線端末４ａ〜４ｄ及び無線操作移動体５ａ〜５ｄから一括して情報を送ることで、広範囲の調査をより早く、人件費をかけずに行うことが可能である。
【０１０１】
本発明では、取得した情報を広くＷｉＭＡＸを用いて配信することで、過疎地等も含め、多くの人が情報を入手することができるため、一般市民の文化財・遺産への意識向上を促すことで、無知の人が知らずに保護区域を脅かす可能性を減らすことが可能であり、また専門的な意見を広く得ることが可能である。ＷｉＭＡＸは画像配信に適しているので、取得した映像を３次元にする等してより実際に近い環境を提示し、保全修復に当る専門技術者の教育をも行うことが可能である。
【０１０２】
保存や修復に資金がかかりそうな調査対象（文化財・遺産）については、最初の情報提供において、興味が持てる程度の親しみやすい内容のみ無料配信とし、詳細な内容や特典映像等を有料でＷｉＭＡＸ端末機能を搭載する無線端末やＰＣにＷｉＭＡＸを用いて番組として一般市民に動画配信し、さらに保全専門技術者及びその志望者に、３Ｄ映像等に加工して教育資料としてＷｉＭＡＸ端末機能を搭載する無線端末やＰＣにＷｉＭＡＸを用いて有料で配信することで、資金不足を解消することが可能である。
【０１０３】
さらにまた、本発明では、２４時間、調査対象（文化財・遺産）の状態をカメラ部３３，４３，５３にて撮影することで、その状態をチェックすることができ、異常が生じた場合の対応を迅速に行うことが可能である。
【産業上の利用可能性】
【０１０４】
本発明は、屋内・屋外を問わず、主に動植物・建造物をはじめとする調査対象（文化財・遺産）の調査や保護を要する場所、発掘現場での情報収集、収集した情報の展開、調査、特に過疎地や高速移動中における収集した情報展開また調査に適用することが可能である。また、本発明は、深海の調査や危険を伴う地域での救助活動時に必要な事前の現場把握にも適用可能である。
【図面の簡単な説明】
【０１０５】
【図１】本発明の第１の実施例による調査情報収集管理システムの構成例を示すブロック図である。
【図２】図１の管理サーバの構成例を示すブロック図である。
【図３】本発明の第１の実施例による無線カメラの構成例を示すブロック図である。
【図４】本発明の第１の実施例による無線端末の構成例を示すブロック図である。
【図５】本発明の第１の実施例による無線操作移動体の構成例を示すブロック図である。
【図６】図１の管理サーバの動作を示すフローチャートである。
【図７】本発明の第２の実施例による管理サーバの動作を示すフローチャートである。
【図８】本発明の第３の実施例による調査情報収集管理システムの構成例を示すブロック図である。
【図９】本発明の第３の実施例による無線発信機の構成例を示すブロック図である。
【図１０】図８の管理サーバの動作を示すフローチャートである。
【図１１】図８の管理サーバの動作を示すフローチャートである。
【符号の説明】
【０１０６】
１  自国の文化財・遺産保護管理者の管理サーバ
２ａ〜２ｃ  ＷｉＭＡＸ基地局
３ａ〜３ｄ  無線カメラ
４ａ〜４ｄ  無線端末
５ａ〜５ｄ  無線操作移動体
６  各国の文化財・遺産保護管理者の管理サーバ
７ａ，７ｂ  ユーザ端末
８ａ〜８ｄ  無線発信機
１１，３２，４２，５２  遠隔操作制御部
１２  調査情報収集部
１３  調査情報蓄積部
１４  調査情報一括整理部
１５  調査情報配信部
３１，４１，５１，８１  ＷｉＭＡＸ端末機能部
３３，４３，５３  カメラ部
４４，５４  環境調査機能部
５５  移動駆動部
８２  無線発信部
【図１】
2008288738.tif 000003
【図２】
2008288738.tif 000004
【図３】
2008288738.tif 000005
【図４】
2008288738.tif 000006
【図５】
2008288738.tif 000007
【図６】
2008288738.tif 000008
【図７】
2008288738.tif 000009
【図８】
2008288738.tif 000010
【図９】
2008288738.tif 000011
【図１０】
2008288738.tif 000012
【図１１】
2008288738.tif 000013